(57)【要約】【課題】屋内空間の側面、又は天井面の形状に応じてネット体の取り付けが容易で、且つ安全に吊り張りすることができる案内支承体の設けられた屋内空間部用のネット、及び該屋内空間部用のネットの吊り張り方法を提供することを課題とする。【解決手段】屋内空間部の側面に沿って又は天井面に沿って防球用等の目的で所望の位置に架け渡すネット体と、該ネット体を側面又は天井面に沿って直接又は間接的に吊り張りするための複数個の連結取付具とから構成された屋内空間部用のネットにおいて、前記連結取付具を移動自在に取り付ける案内支承体が、設け、側面の上端側、又は天井面の梁に固定する連結固定具と、該連結固定具に連結固定具に連結された板体から構成され、且つ前記連結固定具には、上下方向、前後方向、又は左右方向に沿って調整可能な調整部が設けられていることである。【選択図】図１
2019072443.tif 000002
【特許請求の範囲】
【請求項１】
屋内空間部の側面に沿って又は天井面に沿って防球用等の目的で形成されたネット体と、該ネット体を前記側面又は天井面に沿って直接又は間接的に吊り張りするための複数個の連結取付具とから構成された屋内空間部用のネットにおいて、前記各連結取付具を移動自在に取り付ける案内支承体が、側面の上端側、又は天井面の梁に固定する連結固定具と、該連結固定具に連結された長尺状の板体から構成され、且つ前記連結固定具には、上下方向、前後方向、又は左右方向に沿って調整可能な調整部が設けられていることを特徴とする屋内空間部用のネット。
【請求項２】
屋内空間部の側面又は天井面の形状に応じて１枚又は複数枚のネット本体を組み合わせてネット体を形成し、該ネット体の上端辺に沿って又は天井面の所望の位置に沿ってネット体に所望の間隔で複数個の連結取付具を取り付けた後、該連結取付具を介して直接又は間接的に前記ネット体を取り付けることで側面又は天井面に沿ってネット体を吊り張りする屋内空間部用のネットの吊り張り方法において、予め側面等の上端側に又は天井面の梁等に固定された連結固定具に沿って上下方向、前後方向、又は左右方向に調整移動しながら長尺状の板体を側面形状に応じて、又は天井面の形状に応じて取り付けた後、前記板体に前記連結取付具を移動自在に取り付けるとともに、前記ネット体の移動端を案内支承体の端部側で連結することで前記連結固定具と前記板体より構成された案内支承体に沿って広げた状態でネット体を吊り張りすることを特徴とする屋内空間部用のネットの吊り張り方法。
【発明の詳細な説明】
【技術分野】
【０００１】本願発明は、主に球技用、又は防護用（落下防止を含む）として屋内空間部の側面に沿って、又は屋内空間部の天井面に沿って吊り張りする屋内空間部用のネット、及び屋内空間部用のネットの吊り張り方法に関する。
【背景技術】
【０００２】従来、屋内空間部の側面に沿って防球用のネット体を吊り張りする場合は、該当する側面の上方側で主に床面に対して水平方向にネット体を取り付けるための取り付け用ロープ（本願発明において、ロープとはワイヤロープ、樹脂製ロープ等を含む総称して記載）を架け渡した後、該取り付け用ロープに前記屋内空間部の側面の形状に応じて１枚又は複数枚のネット本体を組み合わせて形成されたネット体の少なくとも上端辺に沿って所望の間隔で連結した複数本の連結取付具を取り付け、又はネット体の上端側を直接前記取り付け用ロープに筒状に形成して巻き付けることで側面に沿ってネット体を直接又は他の媒介を用いて間接的に吊り張りする。【０００３】他の方法は、前記取り付け用ロープに取り付けられた複数本の紐体をネット体の上端辺（ネット体の形を形成する周辺部に設けられた補強用ロープ部分）にそれぞれ連結することでネット体を取り付け用ロープに取り付けことで側面に沿って吊り張りする。【０００４】又は、側面形状に応じて長尺状に形成された棒状体に直接又は間接的にネット体を取り付け、前記棒状体を移動用のロープで昇降移動することで、ネット体を側面の所望の位置に吊り張りする。【０００５】また、屋内空間部の天井面に沿って防球用、又は防護用のネット体を取り付ける場合は、天井面の梁を利用して取り付け用ロープを網目状に交差して（又は並行方向に）複数本取り付け、前記各取り付け用ロープに連結手段を介してそれぞれ天井面に沿って１枚又は複数枚のネット本体で形成されたネット体を取り付けることで、天井面に沿ってネット体を吊り張りする。
【発明が解決しようとする課題】
【０００６】しかしながら、上記従来の屋内空間部用のネットは、予め側面の上端側、又は天井面の梁に沿って架け渡した取り付け用ロープに、ネット体を取り付けるために取り付け用ロープに直接的にネット体の荷重等がかかり、取り付け用ロープの複数の中途部分で取り付け用ロープを水平状態に維持する別体の固定具を必要とし、屋内空間部用のネットの構成が煩雑であり、且つネット体の吊り張り作業が煩雑であるという欠点があった。
【０００７】特に、屋内空間部の面積が大きいほど、ネット体の荷重等が大きく、固定具の取り付け本数、又は取り付け用ロープの本数を増やす等の新たな補強の選択を必要とする欠点があった。
【０００８】また、長尺状の棒状体に連結取付具を介してネット体を取り付ける場合は、予め棒状体にネット体の上端辺を取り付けた後、前記棒状体を複数本の移動用のロープで昇降移動するために、該棒状体に一度に多くの荷重がかかり、該棒状体を床面に対して水平状態にするのに煩雑な作業を行う必要があった。
【０００９】更に、棒状体を水平方向の維持するための微調整を行うことができない欠点があった。
【００１０】また、棒状体は移動用のロープで昇降移動するために、該棒状体の左右方向への調整、及び前後方向への調整ができず棒状体を適切に設置できない欠点があった。
【００１１】特に、傾斜を有する側面又は天井面では、前記ネット体の荷重等により適切な角度調整がスムーズにできない欠点があった。
【００１２】さらに、前記ネット体の荷重等により取り付け用ロープの摩耗等が激しく前記取り付け用ロープの取り換え等の頻繁なメンテナンス作業を必要とする欠点があるとともに、メンテナンス作業時のネット体の移動がスムーズに行えない欠点があった。
【００１３】そこで、本願発明は、ネット体の荷重、側面の上部側の形状、又は天井面の形状にかかわらず、ネット体を床面に対して水平状態、又は所望の角度を有してネット体を吊り張りし、且つあらゆる形状を有する側面又は天井面に沿ってネット体を適正に吊り張りすることのできる屋内空間部用のネット、及び該屋内空間部用のネットの吊り張り方法を提供することを課題とする。
【課題を解決するための手段】
【００１４】本願発明の上記課題を解決する手段としての屋内空間部用のネットは、請求項１に記載のように、屋内空間部の側面に沿って又は天井面に沿って防球用等の目的で形成されたネット体と、該ネット体を前記側面又は天井面に沿って直接又は間接的に吊り張りするための複数個の連結取付具とから構成された屋内空間部用のネットにおいて、前記連結取付具を移動自在に取り付ける案内支承体が、側面の上端側、又は天井面の梁に固定する連結固定具と、該連結固定具に連結された板体から構成され、且つ前記連結固定具には上下方向、前後方向、又は左右方向に沿って調整可能な調整部が設けられていることを特徴とする。
【００１５】また、本願発明の上記課題を解決する手段としての屋内空間部用のネットの吊り張り方法は、請求項２に記載のように屋内空間部の側面又は天井面の形状に応じて１枚又は複数枚のネット本体を組み合わせてネット体を形成し、該ネット体の上端辺に沿って又は天井面の所望の位置に沿ってネット体に所望の間隔で連結取付具を取り付けた後、前記連結取付具を介して直接又は間接的に前記ネット体を取り付けることで側面又は天井面に沿ってネット体を吊り張りする屋内空間部用のネットの吊り張り方法において、予め側面等の上端側又は天井面の梁等に固定された連結固定具に沿って上下方向、前後方向、又は左右方向に調整移動しながら長尺状の板体を側面形状に応じて、又は天井面の形状に応じて取り付けた後、前記板体に前記連結取付具を移動自在に取り付け、前記ネット体の移動端を板体の端部側で連結することで前記連結固定具と前記板体から構成された案内支承体に沿って広げた状態でネット体を吊り張りすることを特徴とする。
【発明の作用効果】
【００１６】本願発明の屋内空間部用のネット、及び該屋内空間部用のネットの吊り張り方法の作用効果について説明する。
【００１７】本願発明の請求項１に記載の屋内空間部用のネットは、屋内空間部の側面の上端側の所望の位置に沿って連結固定具を介して案内支承体を取り付け、又は屋内空間部の天井面の梁に沿って、又は梁と交差する方向に連結固定具を介して１本又は複数本の板体を取り付ける。
【００１８】この際、前記板体の取り付け位置を、前記連結固定具に沿って上下方向、前後方向又は左右方向等選択して微調整を行うことで、屋内空間部の最適な位置に前記連結固定具と前記板体から構成された案内支承体を取り付ける。
【００１９】即ち、側面の上端側、又は天井面の形状に応じて連結固定具の上下方向の長さを調整移動し、板体を所望の方向（床面に対して水平状態、又は所望の傾斜を維持した状態で取り付け、側面の形状に応じて案内支承体と側面の上端側との距離、天井面の形状に応じた吊り張りを行うことができる。
【００２０】また、連結固定具を前後方向に調整移動し、板体と側面との間の距離、天井面での取り付け位置を調整して案内支承体を吊り張りすることができる。
【００２１】また、側面の形状に応じて、又は天井面の形状に応じて連結固定具を左右方向に調整移動し、案内支承体を最適な位置に調整移動する。
【００２２】次に、連結取付具をネット体の上端辺に所望の間隔で複数個を取り付け、又はネット体の全体面（所望の間隔で面）に渡って縦方向、又は横方向に所望の間隔で複数個を取り付け、前記ネット体を前記案内支承体に移動自在に取り付ける。
【００２３】これにより、ネット体を側面、又は天井面の最適な位置に取り付けできる。
【００２４】その後、前記ネット体を案内支承体に沿って一端側より他端側へ移動することで、ネット体を屋内空間部に吊り張りすることができる。
【００２５】このように、本願発明の屋内空間部用のネットは、あらゆる屋内空間部でその側面形状に応じて、又は天井面の形状に応じて自在にネット体を吊り張りすることができる。
【００２６】しかも、ネット体を吊り張りする基準となる案内支承体の微調整が可能であるために、側面形状の凹凸、又は天井面の円弧面においても自在にネット体を吊り張りすることができる。
【００２７】次に、請求項２に記載の屋内空間部用のネットの吊り張り方法は、屋内空間部の側面又は天井面の形状に応じて１枚又は複数枚のネット本体を組み合わせてネット体を形成する。
【００２８】そして、側面の上端側の所望の位置、又は天井面の梁に沿って連結固定具を固定し、該該連結固定具に沿って水平方向、又は傾斜方向を有して板体を取り付ける。
【００２９】前記板体は、前記連結固定具に沿って上下方向、前後方向、又は左右方向に調整移動しながらその取り付け位置の微調整を行うことができる。
【００３０】即ち、案内支承体の連結固定具の上下方向の長さを側面の上端側の形状に応じて、又は天井面の形状に応じて調整移動することで、板体の床面に対して水平状態、所望の角度を有した状態等自在に調整することができる。
【００３１】また、案内支承体の連結固定具の前後方向の長さを側面の形状に応じて、又は天井面の形状に応じて調整移動することで、板体の前後方向の取り付け位置を自在に調整することができる。
【００３２】また、案内支承体の連結固定具の左右方向の長さを側面の形状に応じて、又は天井面の形状に応じて調整移動することで、板体の左右方向の取り付け位置を自在に調整移動することができる。
【００３３】これにより、屋内空間部のあらゆる形状の側面、又は天井面に沿って最適な位置に案内支承体を設置することができる。
【００３４】次に、前記案内支承体に沿って複数個の連結取付具を移動自在に取り付ける。
【００３５】その後、前記連結取付具を介してネット体の上端辺、又はネット体の全面に沿って所望の間隔を有して平行状態に取り付ける。
【００３６】前記取り付けられたネット体は、一方は前記板体の端部に固定された固定端をなし、他方は板体に沿って移動する移動端を有する。
【００３７】前記ネット体の移動端は、前記板体に沿って移動した後、前記板体の他端側で連結することでネット体を広げた状態で取り付けできる。
【００３８】これにより、前記ネット体は、側面又は天井面に沿って広げた状態で適切に吊り張りすることができる。
【００３９】この際、ネット体の荷重等が案内支承体で分散されているために、前記案内支承体に沿ってスムーズにネット体を移動することができる。
【００４０】また、メンテナンス作業時においても、板体の他端側の連結を解除することで、ネット体の移動端側を板体の他方側に移動し、連結取付具より容易に取り外すことが可能である。
【００４１】さらに、案内支承体を用いてネット体を移動するために、ネット体の移動は水平方向に限定されるものでなく、傾斜を有する天井面においても自在にネット体を移動することができる。
【００４２】また、案内支承体とネット体とが別体であり、予め案内支承体のみを側面の上端側又は天井面に取り付けるために、その取り付け作業が容易に行え、安全に取り付け作業を行うことができる。
【００４３】このように、請求項２に記載の屋内空間部用のネットの吊り張り方法は、その取り付け作業が容易であり、且つ安全に取り付けすることができるという顕著な効果を有する。
【００４４】また、案内支承体が連結固定具に沿って調整移動できるために、あらゆる屋内空間部の形状に応じて自在に対応したネット体の吊り張りが可能となる。
【発明を実施するための最良の形態】
【００４５】本願発明の屋内空間部のネット及び該屋内空間部のネットの吊り張り方法について図面に沿って説明する。【００４６】図１は本願発明の側面に用いる屋内空間部用のネットを示す概略説明正面図であり、図２は図１の案内支承体の連結固定部の上下方向、前後方向の調整移動を示す概略説明側面図であり、図３は図１の案内支承体の連結固定具の左右方向の調整移動を示す概略説明底面図であり、図４は案内支承体の連結固定具の他実施例を示す概略説明正面図であり、図５は屋内空間部用のネットの吊り張り状態の固定端側を示す概略説明正面図であり、図６は屋内空間部用のネットの吊り張り状態の移動端側を示す概略説明正面図であり、図７は本願発明の天井面に用いる屋内空間部用のネットを示す概略説明平面図であり、図８は図７の屋内空間部用のネットを示す概略説明側面図であり、図９は本願発明の屋内空間部用のネットの吊り張り方法のフローチャートである。【００４７】本願発明の屋内空間部用のネット１は、屋内空間部の側面又は天井面の形状に応じて形成されたネット体２と、該ネット体２の上端辺に沿って所望の間隔を有して複数個取り付けられた、又はネット体２の全面に沿って所望の間隔を有して（川の字状、十字状、両端辺のみ）に所望の間隔を有して取り付けられた連結取付具３と、該連結取付具３を移動すべく側面の上端側（、又は屋内空間部の側面側の天井部分）に沿って又は天井面の梁に沿って所望の長さを有して１本又は複数本で形成された長尺状の案内支承体４と、前記案内支承体４の一端側に取り付けられ、ネット体２の一端側を固定する固定手段と、前記案内支承体４の他端側に取り付けられネット体２の移動を固定するストッパー体５とから構成されている。【００４８】前記ネット体２は、側面又は天井面の形状に応じて１枚又は複数枚のネット本体２Ａを連結して形成し、その全ての外周に沿ってネット体２の形状を維持するために補強用ロープ２Ｂが設けられている。【００４９】前記連結取付具３は、前記案内支承体４に沿って移動すべくローラを軸支した移動部（図示せず）と、該移動部に連設され、前記ネット体２の上端辺の補強用ロープ２Ｂに係止する係止部（図示せず）とから構成され、該補強用ロープ２Ｂに所望の間隔を有して複数個が係止されている。【００５０】尚、前記連結取付具３をネット体２の全面に取り付ける場合は、ネット体２の全面に一定方向に沿って縫い込むように取り付けた複数本の取り付け用ロープ３Ｃにそれぞれ連結取付具３を取り付けることでネット体２に連結取付具３を取り付ける。これにより、天井面の梁に対応する位置に連結取付具３を位置し、天井面に取り付けできる。【００５１】前記ネット体２は前記連結取付具３を介して案内支承体４に連結でき、前記連結取付具３を案内支承体４に沿って移動することで、屋内空間部の側面又は天井面に沿って吊り張りすることができる。【００５２】この際、前記ネット体２の一方の側面（一端側）を固定手段としての固定紐６で連結することで、一方の側面の移動を阻止することで固定端２Ｆを形成し、前記ネット体２の他方の側面（他端側）は前記案内支承体４に沿って移動する移動端２Ｅを形成している。【００５３】前記ネット体２の移動端２Ｅの移動は、移動端２Ｅの上部に連結された引っ張り用ロープ９を側面（天井面）に取り付けられた滑車９Ａを介して手動又は電動で（ウインチの駆動で巻き取り移動する）引っ張ることで、前記ネット体２を案内支承体４に沿ってスムーズに他端側へ移動することができる。【００５４】尚、ネット体２の移動は引っ張り用ロープ９に限定されるものでなく、例えば、前記案内支承体４に沿ってエンドレス状に移動用ロープ（図示せず）を架け渡し、該移動用ロープに前記移動端２Ｅ側の連結取付具３（先端側のみ）を連結することで、ネット体２を案内支承体４に沿って移動することも可能である。この構成を利用すると大面積のネット体２の場合に特にスムーズにネット体２を移動することができる利点がある。【００５５】前記案内支承体４は、前記連結取付具３の移動部を移動自在に案内する長尺状の板体４Ａと、該板体４Ａを側面又は天井面の梁に沿って固定する連結固定部４Ｂとから構成されている。前記板体４Ａの形状は板状の平面状に限定されるものでなく、棒状の形状も含み長尺状を基本とする。【００５６】尚、前記案内支承体４の構成は上記構成に限定されるものでなく、板体４Ａのみで形成し、別体の固定具（図示せず）を用いて側面又は天井面に取り付けることも可能である。【００５７】前記連結固定具４Ｂには、上下方向の調整移動可能な上下調整部４Ｃと、前後方向に調整移動可能な前後調整部４Ｄと、左右方向の調整移動可能な左右調整部４Ｅとが設けられ、前記板体４Ａの水平状態を維持、又は板体４Ａの側面、天井面の形状に応じての傾斜を自在に調整することができる。【００５８】また、前記連結固定具４Ｂにおいて、上下調整部４Ｃと前記左右調整部４Ｄと前後調整部４Ｄとの中で一方の構成のみを有することも可能であり、屋内空間部の天井面の形状に応じて、例えば平面状である場合は、前後調整部４Ｄのみを保持し、円弧面等の変形面の場合は、上下調整部４Ｃのみ、又は上下調整部４Ｃと前後調整部４Ｄとを保持し、或いは上下調整部４Ｃ、前後調整部４Ｄ、左右調整部４Ｅを保持するように構成することも可能である。【００５９】即ち、側面の上端側の形状に応じて、又は天井面の形状に応じて案内支承体４を床面に対して水平状態にする場合は、上下調整部４Ｃを用いて、連結固定具４Ｂの長さを調整して案内支承体４の水平状態を維持し、また側面との距離、又は天井面の一方側との距離に応じて、案内支承体４を取り付け場合は、連結固定具４Ｂの前後調整部４Ｄを用いて、連結固定具４Ｂの取り付け位置を調整して案内支承体４の取り付け位置を調整し、また、側面の形状に応じて、又は天井面の形状に応じて、案内支承体４を取り付ける場合は、連結固定具４Ｂの左右調整部４Ｅを用いて、案内支承体４の取り付け位置を調整する。【００６０】次に、前記ストッパー体５は必須の構成ではなく、例えばネット体２を案内支承体４に沿って移動後、引っ張り用ロープ９を固定することでネット体２の移動端２Ｅ側を固定することも可能である。【００６１】また、前記案内支承体４の全面に沿って、且つ案内支承体４の前面に所望の距離を有して防護用ネット体（又は防球用ネット体）１１が設けられている。【００６２】前記防護用ネット体１１は、前記案内支承体４の横方向全面に渡り、ネット体２より短形状で、該ネット体２の上端側に位置するように、前記案内支承体４の全面側を覆うように吊り張りし、下端側はフリー状態とすることで、球技用の球が飛来してきても確実に防護用ネット体１１でその衝撃を干渉し、案内支承体４に直接当接することなく、安全に維持できる。【００６３】尚、前記防護用ネット体１１の取り付けは、上記実施例に限定されるものでなく、案内支承体４の連結固定部４Ｂに間接的に防護用ネット体１１の上端辺を取り付けることも可能であり、又は天井側に沿って架け渡した紐状体（図示せず）を介して防護用ネット体１１を取り付けることも可能である。【００６４】また、防護用ネット体１１は、通常ネット本体２Ａを組み合わせて前記ネット体２より端形状（上下方向の長さ）形成するが、ネット本体２Ａに限定されるものでなく、網目部分が密集して形成されるシート状の材質を用いて（図示せず）で形成することも可能である。【００６５】さらに、野球・ソフトボールの球技の場合は、球の勢いが強いので、複数枚の防護用ネット体１１を前後方向に所望の距離を有して吊り張りすることも可能である。【００６６】本願発明の屋内空間部用のネット１は上記のように構成され、次に屋内空間部用のネット１を用いて屋内空間部の側面、及び天井面に防球用、防護用として吊り張りする場合について説明する。【００６７】先ず、屋内空間部の該当する側面の形状に応じて１枚又は複数枚のネット本体２Ａを組み合わせ、上下・左右両外周縁（外周辺）に沿って補強用ロープ２Ｂを取り付ける（該補強用ロープ２Ｂの取り付けは、ネット本体２Ａの端部辺を筒状に形成し、該筒部に補強用ロープ２Ｂを挿通、又は紐体を用いてネット本体２Ｂの端部辺へ編み込むことで補強用ロープ２Ｂを取り付ける）ことでネット体２を形成する。【００６８】そして、前記ネット体２の上端辺に所望の間隔（ネット体２の上端辺の距離に応じて形成されたネット体２の荷重を適切に分散できる間隔、例えば１ｍ間隔等）を有して連結取付具３を複数個取り付ける。該連結取付具３の取り付け方法は、該連結取付具３を形成する連結固定部を前記ネット体２の補強用ロープ２Ｂに取り付けることで、ネット体２が離脱しないように強固に取り付けすることができる。【００６９】次に、前記ネット体２の連結取付具３を移動自在に取り付けるための案内支承体４を屋内空間部の側面の上端側に沿って取り付ける。【００７０】前記案内支承体４の取り付けは、該案内支承体４を形成する板体４Ａを床面に対して水平状態とするために、該板体４Ａを空間部に固定するための各連結固定部４Ｂをそれぞれ上下方向にその長さを上下調整部４Ｃで調整移動し、板体４Ａを床面に対して水平状態とする。【００７１】また必要に応じて、側面と案内支承体４の板体４Ａとの距離の調整は、前後調整部４Ｄで行うことができ、さらに、側面に対する案内支承体４との左右方向の調整が必要であれば、左右調整部４Ｅで行うことができる。【００７２】このため、側面の上端側、又は天井面の形状が円弧面であっても連結固定具４Ｂを用いて上下方向、前後方向、又は左右方向の長さを調整し、板体４Ａの角度を自在に調整し、確実に板体４Ａを水平状態に維持することができる。【００７３】この際、前記ネット体２を吊り張りする側面の距離間に応じた長さを有する板体４Ａを用いて案内支承体４を形成する。【００７４】また、複数枚のネット体２を用いて側面に沿って吊り張りする場合は、複数本の板体４Ａを用いてそれぞれのネット体２を吊り張りする。【００７５】また、屋内空間部の側面の状況（凹凸形状を有する、２階部分を有する）によっては、板体４Ａの取り付け位置を側面との距離を調整する必要があり、連結固定具４Ｂの左右調整部４Ｄで左右方向の調整を行う。【００７６】尚、前記上下調整部４Ｃと前後調整部４Ｄと左右調整部４Ｅは、共に連結固定具４Ｂに設けることも可能であり、また、上下調整部４Ｃのみ、上下調整部４Ｃと前後調整部４Ｄ、前後調整部４Ｄと左右調整部４Ｅを設けることも可能である。【００７７】要は、屋内空間部の側面の形状に応じて自在に各調整部（上下調整部４Ｃ、前後調整部４Ｄ、左右調整部４Ｅ）を選択することができる。【００７８】前記ネット体２は、前記案内支承体４の板体４Ａに沿って連結取付具３を介して移動自在であるために、ネット体２を板体４Ａに沿って移動するだけで、屋内空間部の側面に沿って吊り張り、及びメンテナンス作業時等（屋内空間部の不使用）に収納移動することができる。【００７９】次に、前記案内支承体４の取り付け方向に沿って、且つ該案内支承体４の前方側で所望の距離を有して防護用ネット体１１を取り付ける。【００８０】尚、防護用ネット体１１の取り付けは、屋内空間部の形状又は作業工程により前記案内支承体４にネット体２を取り付ける前に行うことも可能である。【００８１】要は、屋内空間部の側面が凹凸形状である場合（２階部分に観客席がある場合等）は、予め案内支承体４を取り付け、該案内支承体４にネット体２を吊り張りした後に、ネット体２との距離を調整して防護用ネット体１１を取り付けるが、又は案内支承体４を取り付けた後、防護用ネット体１１を取り付け、その後ネット体２を前記案内支承体４の板体４Ａに沿って移動自在に取り付けることも可能である。【００８２】この際、前記防護用ネット体１１と案内支承体４との距離間を調整するために、棒状体４Ａを連結固定部４Ｂに沿って前後方向に調整移動して適切な距離間を保つことができる。【００８３】このため、屋内空間部の使用球技の種類に応じて、例えば打球の勢いの強い野球の場合は、前記前後方向の距離間を広くして打球の勢いを防護用ネット体１１で吸収して、案内支承体４への直接の衝突を回避し案内支承体４の変形等を回避することができる。【００８４】次に、前記案内支承体４の板体４Ａに連結取付具３の移動部を移動自在に支承し、ネット体２の移動端２Ｅに引っ張り用ロープ９を連結する。【００８５】前記引っ張り用ロープ９は、案内支承体４の一方の端部に固定された滑車９Ａを介して床面側に巻回されている。これにより、引っ張り用ロープ９を引っ張ることにより、各移動部３Ａが板体４Ａに沿って移動し、固定端２Ｆ側が固定された状態でネット体２の移動端２Ｅが対向する側面側に移動する。【００８６】その後、前記移動したネット体２はその移動端２Ｅを案内支承体４の他方側端部に取り付けられたストッパー体５を用いて固定することで、ネット体２を案内支承体４に固定状態で吊り張りすることができる。【００８７】前記ストッパー体５は案内支承体４の端部に取り付けられ、ネット体２の先端側を連結することで、ネット体２を側面に沿って固定する。【００８８】これにより、案内支承体４に沿ってネット体２をスムーズに移動し、側面に沿って広げた状態で適切に吊り張りすることができる。【００８９】また、メンテナンス作業時において、ストッパー体５を解除することで、容易にネット体２を固定端２Ｆ側に移動し、ネット体２を開放した状態で容易に作業を行うことができる。【００９０】さらに、防護用ネット体１１で案内支承体４を常時防護しているために、各種スポーツの球が直接案内支承体４へ当接することがなく、変形等（変形、凹凸形状の発生、ズレ）しないために、ネット体２の移動をスムーズに行うことができる。【００９１】このように、側面に使用する本願発明の屋内空間部用のネット１は、案内支承体４を側面の形状に応じて最適な位置に取り付けることで、ネット体２の荷重等による上端側の弛みを案内支承体４で解消し、適切なネット体２の吊り張りを可能とする。【００９２】尚、ネット体２の形状に応じて、案内支承体４の本数は限定されるものでなく、複数本の案内支承体４を用いてネット体２を吊り張りすることも可能である。この場合は、案内支承体４を連続して１本につなぎ合わすことも可能であり、２本を平行に用いてネット体２を吊り張りすることも可能である。【００９３】次に、屋内空間部用のネット１を天井面に沿って吊り張りする場合について説明する。【００９４】先ず、天井面の形状に応じて１枚又は複数枚のネット本体２Ａを組み合わせ、該ネット本体２Ａの端部周縁に沿って補強用ロープ２Ｂを取り付けることで、ネット体２を形成する。【００９５】そして、ネット体２の外周縁に沿って補強用ロープ２Ｂを利用して連結取付具３を所望の間隔（天井面の梁間の距離に応じて）で取り付けるとともに、ネット体２の中央部分にも取り付け用ロープ３Ｃを介して連結取付具３を一定の間隔で複数個を取り付ける。【００９６】次に、天井面の梁に応じて連結固定部４Ｂを介して複数本の案内支承体４を取り付ける。【００９７】この際、案内支承体４の取り付けは、ネット体２の移動方向を考慮し、及び梁の位置を考慮して、梁に沿って複数本取り付け、又は各梁に平行に複数本を架け渡すよう取り付ける。【００９８】前記板体４Ａの取り付け位置は、各連結固定具４Ｂの上下調整部４Ｃを用いてその上下方向の長さ調整を行うとともに、その前後方向の調整を前後調整部４Ｄで行うとともに、左右方向の調整を左右調整部４Ｅで行うことで、天井面の形状に応じて最適な位置に案内支承体４を取り付けできる。【００９９】その後、ネット体２に取り付けた連結取付具３を前記板体４Ａに取り付け、移動端２Ｅ側に設けられた引っ張り用ロープ９を引っ張り移動することで、ネット体２の移動端２Ｅ側を板体４Ａの他端側へ移動し、他方側端部に設けられたストッパー体５で前記移動端２Ｅを固定することで、前記案内支承体４に沿ってネット体２を吊り張りすることができる。【０１００】上記ネット体２を吊り張りした状態で、前記各案内支承体４に対応するそれぞれの位置より所望の距離を有してネット体２に直接縦方向が短形状（ネット体２の縦方向に比べて短いく形成し、上方側に垂れ幕のように取り付ける）に形成された防護用ネット体１１を取り付ける。【０１０１】これにより、ネット体２には複数枚の防護用ネット体１１を垂れ下げることができる。【０１０２】さらに、ネット体２を取り付けた案内支承体４部分に対応して防護用ネット体１１が吊り張りされることとなる。【０１０３】このため、天井面が円弧状である場合であっても、移動用ロープ７で案内支承体４に沿ってスムーズにネット体２を傾斜方向に沿って移動することができる。【０１０４】しかも、天井方向に飛来する各種スポーツの球は、防護用ネット体１１でその勢いで吸収することで案内支承体４への直接の球の当接を回避することができ、頻繁なメンテナンス作業を行うことなく連続して使用できる。【０１０５】このように、天井面に使用する本願発明の屋内空間部用のネット１は、屋内空間部のあらゆる天井面の形状に応じて自在に対応して、ネット体２を吊り張りすることができる。【０１０６】また、案内支承体４によりネット体２の荷重等を分散して吊り張りすることができるために、その移動が容易に行え、作業効率を格段に向上することができる。【０１０７】さらに、メンテナンス作業時において、ストッパー体５を解除することで、容易にネット体２を一方側へ移動し、ネット体２を案内支承体４より取り外すことで、容易にスムーズに対応することができる。【０１０８】しかも、各案内支承体４部分には所望の間隔を有してそれぞれ防護用ネット体１１が吊り張りされているために、天井側への各種スポーツの球の勢いを適切に解消してネット体２を吊り張りすることができる。
【図面の簡単な説明】
【０１０９】
【図１】本願発明の側面に用いる屋内空間部用のネットを示す概略説明正面図
【図２】図１の案内支承体の連結固定具の上下方向、前後方向の調整移動を示す概略説明側面図
【図３】図１の案内支承体の連結固定具の左右方向の調整移動を示す概略説明底面図
【図４】案内支承体の連結固定具の他実施例を示す概略説明正面図
【図５】屋内空間部用のネットの吊り張り状態の固定端側を示す概略説明正面図
【図６】屋内空間部用のネットの吊り張り状態の移動端側を示す概略説明正面図
【図７】本願発明の天井面に用いる屋内空間部用のネットを示す概略説明平面図
【図８】図７の屋内空間部用のネットを示す概略説明側面図
【図９】本願発明の屋内空間部用のネットの側面への吊り張り方法のフローチャート
【符号の説明】
【０１１０】１−屋内空間部用のネット、２−ネット体、４−案内支承体、５−ストッパー体
【図１】
2019072443.tif 000003
【図２】
2019072443.tif 000004
【図３】
2019072443.tif 000005
【図４】
2019072443.tif 000006
【図５】
2019072443.tif 000007
【図６】
2019072443.tif 000008
【図７】
2019072443.tif 000009
【図８】
2019072443.tif 000010
【図９】
2019072443.tif 000011